(57)【特許請求の範囲】
【請求項１】
覆蓋を中間柱で支持する被覆型最終処分場の室内に敷設した水平の平面遮水工と、それと直交する鉛直の中間柱との取り合い部の遮水構造であって、
立体遮水体と、鋼製保護材と、充填発泡樹脂とより構成し、
立体遮水体は水平の平面遮水工に接続する円盤部と、中間柱の外周に位置する筒部とで構成し、
鋼製保護材は立体遮水体の筒部の外周に位置する筒体であり、
発泡樹脂は鋼製保護材と中間柱の間に充填した発泡体である、
被覆型最終処分場の中間柱の遮水構造。
【請求項２】
覆蓋を中間柱で支持する被覆型最終処分場の室内に敷設した水平の平面遮水工と、それと直交する鉛直の中間柱との取り合い部の遮水方法であって、
立体遮水体と、鋼製保護材と、充填発泡樹脂とを使用し、
立体遮水体の円盤部を水平の平面遮水工に接続し、
立体遮水体の筒部を中間柱を外周に位置させ、
さらに筒部の外周に鋼製保護材を位置させ、
鋼製保護材と中間柱の間に発泡樹脂を充填して行う、
被覆型最終処分場の中間柱の遮水方法。
【発明の詳細な説明】
【技術分野】
【０００１】
本発明は、被覆型最終処分場の中間柱の遮水構造と遮水方法に関するものである。
【背景技術】
【０００２】
埋立地を屋根で覆う被覆型の廃棄物最終処分場は、覆蓋と遮水工で外界の大気や自然水系から遮断することで、臭気の拡散、ごみの飛散、鳥害などの環境問題の発生を抑制することができる。
【先行技術文献】
【特許文献】
【０００３】
【特許文献１】特開２００４−２６１７２１号公報
【発明の概要】
【発明が解決しようとする課題】
【０００４】
被覆型最終処分場は体育館や格納庫のような広い空間を形成した構造物である。
そのために、覆蓋を支持する柱を中間に設ける場合があるが、水平の遮水工を鉛直の中間柱が貫通することになるので、その取り合い部が遮水工の弱点となりやすい。
そこで従来から水平の遮水工と鉛直の中間柱の交わる付近の遮水構造に各種の工夫がなされているが、従来の方法、構造では中間柱と遮水工との取り合い部については次のような問題点が存在した。
＜１＞  柱の周囲に土嚢を積み上げて中間柱を保護する構造が存在するが、土嚢と柱の間に隙間ができやすく、そのままでは廃棄物の積載荷重が不均一に遮水工に加わる。
＜２＞  そこで隙間に砂などを充填する方法が採用されているが、砂の充填時に重機の先端やスコップなどを中間柱に衝突させやすく、遮水工を破損する事故が生じる可能性がある。
＜３＞  廃棄物の埋め立てに先行して中間柱の周りに保護土を盛り上げる方法がある。この方法では保護土は山型の斜面になるから、必要以上に大型の山を形成する必要があり、それだけ本来の廃棄物の埋設量が減少するという問題がある。
＜４＞  さらに前記の場合と同様に、山型の盛り上げる際に重機の先端やスコップを衝突させて遮水工を破損する可能性もある。
＜５＞  中間柱の周りに配置する遮水シートは、平面に敷設した遮水シートと直角に取り付けることになる。その取り付け作業は現場で無理に押さえつけて熱溶着を行っている。そのために施工段階で、遮水シートが直交する折れ曲げ部に大きなストレスが生じていた。
＜６＞  そのような遮水シートの折れ曲げ部は元来応力の集中しやすい箇所である。その上に施工時に大きなストレスを加えることから、より破損しやすい弱点となっている。
【課題を解決するための手段】
【０００５】
上記のような課題を解決するために、本発明の被覆型最終処分場の中間柱の遮水構造は、覆蓋を中間柱で支持する被覆型最終処分場の室内に敷設した水平の平面遮水工と、それと直交する鉛直の中間柱との取り合い部の遮水構造であって、立体遮水体と、鋼製保護材と、充填発泡樹脂とより構成し、立体遮水体は水平の平面遮水工に接続する円盤部と、中間柱の外周に位置する筒部とで構成し、鋼製保護材は立体遮水体の筒部の外周に位置する筒体であり、発泡樹脂は鋼製保護材と中間柱の間に充填した発泡体であることを特徴としたものである。
【０００６】
また本発明の被覆型最終処分場の中間柱の遮水方法は、覆蓋を中間柱で支持する被覆型最終処分場の室内に敷設した水平の平面遮水工と、それと直交する鉛直の中間柱との取り合い部の遮水方法であって、立体遮水体と、鋼製保護材と、充填発泡樹脂とを使用し、立体遮水体の円盤部を水平の平面遮水工に接続し、立体遮水体の筒部を中間柱を外周に位置させ、さらに筒部の外周に鋼製保護材を位置させ、鋼製保護材と中間柱の間に発泡樹脂を充填して行うことを特徴としたものである。
【発明の効果】
【０００７】
本発明の被覆型最終処分場の中間柱の止水構造と止水方法は以上説明したようになるから次のような効果を得ることができる。
＜１＞  埋め立て重機の衝突などで破損しやすい中間柱やその遮水性能を確実に防護、維持することができる。
＜２＞  水平に配置した水平遮水シートと、遮水シートを打ち抜く形で直交する中間柱との交差部分には接続箇所に大きなストレスが発生しやすいという問題があった。しかし本発明の方法では、その交差部に工場で製造した立体遮水体を使用するから大きなストレスを発生させず、確実に接続することができ、その部分の損傷、漏水を防止できる。
【図面の簡単な説明】
【０００８】
【図１】本発明の被覆型最終処分場の中間柱の構造の実施例の説明図。
【図２】立体遮水体の設置状態の説明図。
【図３】水平遮水シートと中間柱の交叉部の断面図。
【発明を実施するための形態】
【０００９】
以下図面を参照にしながら本発明の被覆型最終処分場の中間柱の止水構造と止水方法の好適な実施の形態を詳細に説明する。
【実施例】
【００１０】
＜１＞使用する部材
本発明の構造では、従来の遮水シート１を使用した遮水工以外に、立体遮水体２と鋼製保護材３を使用する。
立体遮水体２は、中間柱Ａと水平に敷設する平面遮水工の接触部に設置する部材である。平面遮水工としては市販の遮水シート１を使用できる。
鋼製保護材３は中間柱Ａの周囲を取り囲む鋼製の保護部材である。
【００１１】
＜２＞立体遮水体
立体遮水体２は穴あきの円盤部２１と、その穴の上に、円盤部２１に直交する方向に向けて取り付けた筒部２２とによって構成する。
この立体遮水体２をシルクハットに例えれば、円盤部２１はシルクハットの周辺の鍔に相当し、筒部２２はその中央の頭の入る空間に相当する。ただし筒部２２は貫通した筒体である。
この筒部２２の内径は、取り付ける対象である中間柱Ａの外径よりもわずかに大きい寸法で構成する。
立体遮水体２を中間柱Ａに取り付ける前には、円盤部２１と筒部２２には切断線を設けて開口できるように構成しておき、取り付け後に切断部を溶着して完全な円盤、筒体として構成する。
立体遮水体２の円盤部２１、筒部２２ともに二重の遮水シートによって構成し、その間に自己修復材を封入して破損による漏水を阻止できるように構成することができる。
筒部２２の高さは、例えば１ｍ程度を円盤部２１から立ち上げる。
【００１２】
＜３＞鋼製保護材
中間柱Ａの外周に鋼製保護材３を設置する。
これは中間柱Ａへの重機先端の衝突、接触に対する防護を行うための保護部材である。
鋼製保護材３として例えば市販のコルゲート管を採用する。
その場合にはコルゲート管の内径は、中間柱Ａの外径よりも大きく構成する。
コルゲート管などの鋼製保護材３を設置すると、中間柱Ａの外周に遮水シート１、および不織布を巻き付けて、その外周にコルゲート管などの鋼製保護材３を位置させる構成となる。
鋼製保護材３としてコルゲート管は円筒を縦方向に分割した形状で市販されているから、中間柱Ａの外部全周への取り付けは容易である。  
【００１３】
＜４＞止水方法
次に上記の部材を使用して、最終処分場の中間柱Ａの取り付け部を止水する方法を説明する。
前記したように、最終処分場ではその底面に平面遮水シート１が遮水工として敷設してあり、その遮水シート１を貫通する状態で、鉛直の中間柱Ａが設置してある。
そしてこの中間柱Ａは、基礎コンクリートＢによって下端を支持して鉛直に直立している。
【００１４】
＜５＞立体遮水体の設置
立体遮水体２を中間柱Ａに取り付ける。
その場合には、円盤部２１と筒部２２に切断線を設けて開口できるように構成しておき、筒部２２を切断線から広げて中間柱Ａに取り付ければよい。
その後に切断部を溶着すれば完全な円筒状の筒部２２と円盤部２１を形成することができる。
その後に円盤部２１を水平の遮水シート１に接続する。
立体遮水体２の円盤部２１は、シルクハットのツバのような状態で筒部２２の端部の周囲から筒部２２と直交する方向に水平に張り出しているから、水平面を被覆している遮水シート１との完全な接続は容易である。
立体遮水体２の筒部２２の高さは１ｍ程度であるから、その上では、一般の遮水シート１を中間柱Ａに巻き付ける。
【００１５】
＜６＞不織布の敷設
立体遮水体２の円盤部２１の上、および筒部２２の周囲に不織布４を敷設する。
この不織布４は切断、接着が容易であるから、立体遮水体２の円盤部２１の上面に敷設することができる。
さらに立体遮水体２の筒部２２の周囲、および中間柱Ａの外周に巻き付けた遮水シート１の外周にさらに不織布４を巻き付けて一体化する。
【００１６】
＜７＞鋼製保護材の設置
水平に敷設した不織布４の上には難透水層、砕石層を設置する。
その後、筒部２２の外周、中間柱Ａの外周には、不織布４を挟んでコルゲート管などの鋼製保護材３を設置する。
前記した様にコルゲート管のような鋼製保護材３を使用した場合に、それは円筒を中心軸と平行に切断した形状の半円溝状の部材を組み合わせて円筒を構成するから、立体遮水体２の周囲、中間柱Ａの周囲に設置することは容易である。
このように中間柱Ａの周囲に設置した立体遮水体２の筒部２２や、その上で中間柱Ａの周囲に巻き付けた遮水シート１は、鋼製保護材３によって周囲を防護されることになる。
【００１７】
＜８＞発泡樹脂の充填
鋼製保護材３と中間柱Ａの周囲に巻き付けた遮水シート１、不織布４の間には隙間を設けて鋼製保護材３の取り付けを容易にしてある。
そこでその隙間に発泡樹脂５を充填して一体化を図る。
【００１８】
＜９＞土嚢の設置
以上の順序によって、水平の砕石層から鉛直の中間柱Ａが鋼製保護材３で保護されて直立している状態となる。
この鋼製保護材３の下端の周囲を土嚢６で取り囲む。
こうして鋼製保護材３による保護が完全になり、平面遮水シート１と鉛直の中間柱Ａとの取り付け部の遮水性能が重機の衝突などで破損されることがない構造が完成する。
【符号の説明】
【００１９】
１：遮水シート
２：立体遮水体
２１：円盤部
２２：筒部
３：鋼製保護材
４：不織布
５：発泡樹脂
６：土嚢
【図１】
0005756417.tif 000002
【図２】
0005756417.tif 000003
【図３】
0005756417.tif 000004